(57)【要約】  本発明は、データ伝送方法及び装置、コンピュータ記憶媒体を開示する。前記方法は、第一のコアネットワーク要素が外部ネットワークから送信されたデータを受信すること（３０１）であって、前記データが第一のデバイスグループに送信されるデータであることと、アクセスネットワーク要素が第二の伝送リソースを介して前記データを前記第一のデバイスグループにおける端末に送信できるように、前記第一のコアネットワーク要素が第一の伝送リソースを介して前記データをアクセスネットワーク要素に送信すること（３０２）と、を含む。
2021510269.tif 000002
【特許請求の範囲】
【請求項１】
データ伝送方法であって、
第一のコアネットワーク要素が外部ネットワークから送信されたデータを受信することであって、前記データが第一のデバイスグループに送信されるデータであることと、
アクセスネットワーク要素が第二の伝送リソースを介して前記データを前記第一のデバイスグループにおける端末に送信できるように、前記第一のコアネットワーク要素が第一の伝送リソースを介して前記データをアクセスネットワーク要素に送信することと、を含み、
ここで、前記データが前記第一のコアネットワーク要素、前記アクセスネットワーク要素及び前記端末の間のユーザプレーンで伝送される、前記データ伝送方法。
【請求項２】
前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示すことを特徴とする
請求項１に記載の方法。
【請求項３】
前記第一の伝送リソース及び／又は前記第二の伝送リソースは、物理層識別子、論理チャネル、ベアラ、サービス品質（ＱｏＳ）フロー、プロトコルデータユニット（ＰＤＵ）セッション、インターネットプロトコル（ＩＰ）チャネル、汎用パケット無線サービス（ＧＰＲＳ）トンネリングプロトコル（ＧＴＰ）チャネルのうちの少なくとも１つのリソース属性を有することを特徴とする
請求項２に記載の方法。
【請求項４】
前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことを特徴とする
請求項１に記載の方法。
【請求項５】
前記データを伝送する時に前記第一のデバイスグループのグループ識別子情報を搬送することで、前記データに対応するデバイスグループが前記第一のデバイスグループであることを示すことは、
前記第一のコアネットワーク要素が前記第一のデバイスグループのグループ識別子情報を前記端末に対応するターゲットプロトコル層のＰＤＵにカプセル化し、前記ＰＤＵに前記データが含まれることを含むことを特徴とする
請求項４に記載の方法。
【請求項６】
前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことは、
前記第一のコアネットワーク要素が前記第一のデバイスグループにおける端末の識別子情報及び／又は端末のＰＤＵセッション情報及び／又は端末のサービス品質情報を前記端末に対応するターゲットプロトコル層のＰＤＵにカプセル化し、前記ＰＤＵに前記データが含まれることを含むことを特徴とする
請求項４に記載の方法。
【請求項７】
前記ターゲットプロトコル層はＩＰ層、又はアクセス層（ＡＳ）であることを特徴とする
請求項５又は６に記載の方法。
【請求項８】
前記第一のコアネットワーク要素が外部ネットワークから送信されたデータを受信することは、
前記第一のコアネットワーク要素が第三の伝送リソースを介して外部ネットワークから送信されたデータを受信し、前記第三の伝送リソースが前記第一のデバイスグループの専用伝送リソースであることを含むことを特徴とする
請求項１〜７のいずれか一項に記載の方法。
【請求項９】
前記外部ネットワークから送信されたデータには前記第一のデバイスグループのグループ識別子情報又は前記第一のデバイスグループにおける端末の識別子情報及び／又は端末のＰＤＵセッション情報及び／又は端末のサービス品質情報が含まれることを特徴とする
請求項８に記載の方法。
【請求項１０】
前記第一のデバイスグループにおける端末の識別子情報は外部識別子情報であることを特徴とする
請求項９に記載の方法。
【請求項１１】
前記第三の伝送リソースのリソース属性によって前記データに対応するデバイスグループが前記第一のデバイスグループであることを示すか、又は、
前記データに含まれる前記第一のデバイスグループのグループ識別子情報によって前記データに対応するデバイスグループが前記第一のデバイスグループであることを示すか、又は、前記データに含まれる前記第一のデバイスグループにおける端末の識別子情報及び／又は端末のＰＤＵセッション情報及び／又は端末のサービス品質情報によって前記データに対応するデバイスグループが前記第一のデバイスグループであることを示すことを特徴とする
請求項８−１０のいずれか一項に記載の方法。
【請求項１２】
前記第一のコアネットワーク要素が第一の伝送リソースを介して前記データをアクセスネットワーク要素に送信することは、
前記第一のコアネットワーク要素と前記アクセスネットワーク要素の間に前記第一のデバイスグループの専用伝送リソースがある場合、前記第一のコアネットワーク要素が前記専用伝送リソースを介して前記データをアクセスネットワーク要素に送信することを含むことを特徴とする
請求項１〜１１のいずれか一項に記載の方法。
【請求項１３】
前記第一のコアネットワーク要素が第一の伝送リソースを介して前記データをアクセスネットワーク要素に送信することは、
前記第一のコアネットワーク要素と前記アクセスネットワーク要素の間に前記第一のデバイスグループの専用伝送リソースがない場合、前記第一のコアネットワーク要素が前記第一のコアネットワーク要素と前記アクセスネットワーク要素の間に前記第一のデバイスグループの専用伝送リソースを確立することを要求することと、
前記第一のコアネットワーク要素が前記専用伝送リソースを介して前記データをアクセスネットワーク要素に送信することと、を含むことを特徴とする
請求項１〜１１のいずれか一項に記載の方法。
【請求項１４】
前記第一のコアネットワーク要素が前記第一のコアネットワーク要素と前記アクセスネットワーク要素の間に前記第一のデバイスグループの専用伝送リソースを確立することを要求することは、
前記第一のコアネットワーク要素が前記第一のコアネットワーク要素と前記アクセスネットワーク要素の間に前記第一のデバイスグループの専用伝送リソースを確立することを、第二のコアネットワーク要素を介して第三のコアネットワーク要素に要求すること、又は、
前記第一のコアネットワーク要素が前記第一のコアネットワーク要素と前記アクセスネットワーク要素の間に前記第一のデバイスグループの専用伝送リソースを確立することを、第三のコアネットワーク要素に要求することを含むことを特徴とする
請求項１３に記載の方法。
【請求項１５】
前記第一のコアネットワーク要素は、前記第一のコアネットワーク要素と前記アクセスネットワーク要素の間に前記第一のデバイスグループの専用伝送リソースを確立することを要求する時に、前記第三のコアネットワーク要素へ前記第一のデバイスグループのグループ情報を送信することを特徴とする
請求項１３又は１４に記載の方法。
【請求項１６】
第一のデバイスグループのグループ情報はＰＤＵセッション情報、ＱｏＳフロー情報、ＱｏＳ情報、コアネットワークアドレス情報、グループ識別子情報、ＩＰチャネル、ＧＴＰチャネルのうちの少なくとも１つを含むことを特徴とする
請求項１５に記載の方法。
【請求項１７】
前記第一のコアネットワーク要素が第一の伝送リソースを介して前記データをアクセスネットワーク要素に送信することは、
前記第一のコアネットワーク要素と前記アクセスネットワーク要素の間に共通伝送リソースがある場合、前記第一のコアネットワーク要素が前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることを含むことを特徴とする
請求項１〜１１のいずれか一項に記載の方法。
【請求項１８】
前記第一のコアネットワーク要素と前記アクセスネットワーク要素の間に前記第一のデバイスグループの専用伝送リソースがなく、且つ共通伝送リソースがある場合、前記第一のコアネットワーク要素は、前記共通伝送リソースを介して前記データをアクセスネットワーク要素に送信することを特徴とする
請求項１７に記載の方法。
【請求項１９】
前記第一のコアネットワーク要素が第一の伝送リソースを介して前記データをアクセスネットワーク要素に送信することは、
前記第一のコアネットワーク要素と前記アクセスネットワーク要素の間に共通伝送リソースがない場合、前記第一のコアネットワーク要素が前記第一のコアネットワーク要素と前記アクセスネットワーク要素の間に共通伝送リソースを確立することを要求することと、
前記第一のコアネットワーク要素が前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることと、を含むことを特徴とする
請求項１〜１１のいずれか一項に記載の方法。
【請求項２０】
前記第一のコアネットワーク要素が前記第一のコアネットワーク要素と前記アクセスネットワーク要素の間に共通伝送リソースを確立することを要求することは、
前記第一のコアネットワーク要素が前記第一のコアネットワーク要素と前記アクセスネットワーク要素の間に共通伝送リソースを確立することを、第二のコアネットワーク要素を介して第三のコアネットワーク要素に要求すること、又は、
前記第一のコアネットワーク要素が前記第一のコアネットワーク要素と前記アクセスネットワーク要素の間に共通伝送リソースを確立することを、第三のコアネットワーク要素に要求することを含むことを特徴とする
請求項１９に記載の方法。
【請求項２１】
データ伝送方法であって、
アクセスネットワーク要素が第一の伝送リソースを介して第一のコアネットワーク要素から送信されたデータを受信することであって、前記データが第一のデバイスグループに送信されるデータであることと、
前記アクセスネットワーク要素が第二の伝送リソースを介して前記データを前記第一のデバイスグループにおける端末に送信することと、を含み、
ここで、前記データが前記第一のコアネットワーク要素、前記アクセスネットワーク要素及び前記端末の間のユーザプレーンで伝送される、前記データ伝送方法。
【請求項２２】
前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示すことを特徴とする
請求項２１に記載の方法。
【請求項２３】
前記第一の伝送リソース及び／又は前記第二の伝送リソースは、物理層識別子、論理チャネル、ベアラ、サービス品質（ＱｏＳ）フロー、プロトコルデータユニット（ＰＤＵ）セッション、インターネットプロトコル（ＩＰ）チャネル、汎用パケット無線サービス（ＧＰＲＳ）トンネリングプロトコル（ＧＴＰ）チャネルのうちの少なくとも１つのリソース属性を有することを特徴とする
請求項２２に記載の方法。
【請求項２４】
前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことを特徴とする
請求項２１に記載の方法。
【請求項２５】
前記アクセスネットワーク要素が第二の伝送リソースを介して前記データを前記第一のデバイスグループにおける端末に送信することは、
前記アクセスネットワーク要素と前記端末の間に前記第一のデバイスグループの専用伝送リソースがある場合、前記アクセスネットワーク要素が前記専用伝送リソースを介して前記データを前記第一のデバイスグループにおける端末に送信することを含むことを特徴とする
請求項２１〜２４のいずれか一項に記載の方法。
【請求項２６】
前記アクセスネットワーク要素が第二の伝送リソースを介して前記データを前記第一のデバイスグループにおける端末に送信することは、
前記アクセスネットワーク要素と前記端末の間に共通伝送リソースがある場合、前記アクセスネットワーク要素が前記共通伝送リソースを介して前記データを前記第一のデバイスグループにおける端末に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることを含むことを特徴とする
請求項２１〜２４のいずれか一項に記載の方法。
【請求項２７】
データ伝送方法であって、
端末が第二の伝送リソースを介してアクセスネットワーク要素から送信されたデータを受信することであって、前記データが第一のデバイスグループに送信されるデータであることと、
前記端末が前記データに対応するデバイスグループが前記第一のデバイスグループであることを識別することと、を含み、
ここで、前記データが前記アクセスネットワーク要素及び前記端末の間のユーザプレーンで伝送される、前記データ伝送方法。
【請求項２８】
前記端末が前記データに対応するデバイスグループが前記第一のデバイスグループであることを識別することは、
前記第二の伝送リソースが専用伝送リソースである場合、前記端末が前記第二の伝送リソースのリソース属性によって前記データに対応するデバイスグループが前記第一のデバイスグループであることを識別することを含むことを特徴とする
請求項２７に記載の方法。
【請求項２９】
前記第二の伝送リソースは物理層識別子、論理チャネル、ベアラ、サービス品質（ＱｏＳ）フロー、プロトコルデータユニット（ＰＤＵ）セッション、インターネットプロトコル（ＩＰ）チャネル、汎用パケット無線サービス（ＧＰＲＳ）トンネリングプロトコル（ＧＴＰ）チャネルのうちの少なくとも１つのリソース属性を有することを特徴とする
請求項２８に記載の方法。
【請求項３０】
前記端末が前記データに対応するデバイスグループが前記第一のデバイスグループであることを識別することは、
前記第二の伝送リソースが共通伝送リソースである場合、前記端末が前記データに含まれる前記第一のデバイスグループのグループ識別子情報によって前記データに対応するデバイスグループが前記第一のデバイスグループであることを識別するか、又は、前記データに含まれる前記第一のデバイスグループにおける端末の識別子情報及び／又は端末のプロトコルユニット（ＰＤＵ）セッション情報及び／又は端末のサービス品質情報によって前記データに対応するデバイスグループが前記第一のデバイスグループであることを識別することを含むことを特徴とする
請求項２７に記載の方法。
【請求項３１】
第一のコアネットワーク要素に応用されるデータ伝送装置であって、
外部ネットワークから送信されたデータを受信するように構成される受信ユニットであって、前記データが第一のデバイスグループに送信されるデータである受信ユニットと、
アクセスネットワーク装置が第二の伝送リソースを介して前記データを前記第一のデバイスグループにおける端末に送信できるように、第一の伝送リソースを介して前記データをアクセスネットワーク要素に送信するように構成される送信ユニットと、を備え、
ここで、前記データが前記第一のコアネットワーク要素、前記アクセスネットワーク要素及び前記端末の間のユーザプレーンで伝送される、前記データ伝送装置。
【請求項３２】
前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示すことを特徴とする
請求項３１に記載の装置。
【請求項３３】
前記第一の伝送リソース及び／又は前記第二の伝送リソースは、物理層識別子、論理チャネル、ベアラ、サービス品質（ＱｏＳ）フロー、プロトコルデータユニット（ＰＤＵ）セッション、インターネットプロトコル（ＩＰ）チャネル、汎用パケット無線サービス（ＧＰＲＳ）トンネリングプロトコル（ＧＴＰ）チャネルのうちの少なくとも１つのリソース属性を有することを特徴とする
請求項３２に記載の装置。
【請求項３４】
前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことを特徴とする
請求項３１に記載の装置。
【請求項３５】
前記装置はさらに、
前記第一のデバイスグループのグループ識別子情報を前記端末に対応するターゲットプロトコル層のＰＤＵにカプセル化するように構成されるカプセル化ユニットであって、前記ＰＤＵに前記データが含まれるカプセル化ユニットを備えることを特徴とする
請求項３４に記載の装置。
【請求項３６】
前記装置はさらに、
前記第一のデバイスグループにおける端末の識別子情報及び／又は端末のＰＤＵセッション情報及び／又は端末のサービス品質情報を前記端末に対応するターゲットプロトコル層のＰＤＵにカプセル化するように構成されるカプセル化ユニットであって、前記ＰＤＵに前記データが含まれるカプセル化ユニットを備えることを特徴とする
請求項３４に記載の装置。
【請求項３７】
前記ターゲットプロトコル層はＩＰ層、又はアクセス層（ＡＳ）であることを特徴とする
請求項３５又は３６に記載の装置。
【請求項３８】
前記受信ユニットは、第三の伝送リソースを介して外部ネットワークから送信されたデータを受信するように構成され、前記第三の伝送リソースが前記第一のデバイスグループの専用伝送リソースであることを特徴とする
請求項３１〜３７のいずれか一項に記載の装置。
【請求項３９】
前記外部ネットワークから送信されたデータには前記第一のデバイスグループのグループ識別子情報又は前記第一のデバイスグループにおける端末の識別子情報及び／又は端末のＰＤＵセッション情報及び／又は端末のサービス品質情報が含まれることを特徴とする
請求項３８に記載の装置。
【請求項４０】
前記第一のデバイスグループにおける端末の識別子情報は外部識別子情報であることを特徴とする
請求項３９に記載の装置。
【請求項４１】
前記第三の伝送リソースのリソース属性によって前記データに対応するデバイスグループが前記第一のデバイスグループであることを示すか、又は、
前記データに含まれる前記第一のデバイスグループのグループ識別子情報によって前記データに対応するデバイスグループが前記第一のデバイスグループであることを示すか、又は、前記データに含まれる前記第一のデバイスグループにおける端末の識別子情報及び／又は端末のＰＤＵセッション情報及び／又は端末のサービス品質情報によって前記データに対応するデバイスグループが前記第一のデバイスグループであることを示すことを特徴とする
請求項３８〜４０のいずれか一項に記載の装置。
【請求項４２】
前記第一のコアネットワーク要素と前記アクセスネットワーク要素の間に前記第一のデバイスグループの専用伝送リソースがある場合、前記送信ユニットは前記専用伝送リソースを介して前記データをアクセスネットワーク要素に送信することを特徴とする
請求項３１〜４１のいずれか一項に記載の装置。
【請求項４３】
前記装置はさらに、
前記第一のコアネットワーク要素と前記アクセスネットワーク要素の間に前記第一のデバイスグループの専用伝送リソースがない場合、前記第一のコアネットワーク要素と前記アクセスネットワーク要素の間に前記第一のデバイスグループの専用伝送リソースを確立することを要求するように構成される第一の要求ユニットと、
前記アクセスネットワーク要素と前記第一のデバイスグループの専用伝送リソースを確立するように構成される第一の確立ユニットと、を備え、
前記送信ユニットは前記専用伝送リソースを介して前記データをアクセスネットワーク要素に送信するようにさらに構成されることを特徴とする
請求項３１〜４１のいずれか一項に記載の装置。
【請求項４４】
前記第一の要求ユニットは、前記第一のコアネットワーク要素と前記アクセスネットワーク要素の間に前記第一のデバイスグループの専用伝送リソースを確立することを、第二のコアネットワーク要素を介して第三のコアネットワーク要素に要求するように構成されるか、又は、前記第一のコアネットワーク要素と前記アクセスネットワーク要素の間に前記第一のデバイスグループの専用伝送リソースを確立することを第三のコアネットワーク要素に要求するように構成されることを特徴とする
請求項４３に記載の装置。
【請求項４５】
前記要求ユニットは、前記第一のコアネットワーク要素と前記アクセスネットワーク要素の間に前記第一のデバイスグループの専用伝送リソースを確立することを要求する時に、前記第三のコアネットワーク要素へ前記第一のデバイスグループのグループ情報を送信するように構成されることを特徴とする
請求項４３又は４４に記載の装置。
【請求項４６】
第一のデバイスグループのグループ情報はＰＤＵセッション情報、ＱｏＳフロー情報、ＱｏＳ情報、コアネットワークアドレス情報、グループ識別子情報、ＩＰチャネル、ＧＴＰチャネルのうちの少なくとも１つを含むことを特徴とする
請求項４５に記載の装置。
【請求項４７】
前記第一のコアネットワーク要素と前記アクセスネットワーク要素の間に共通伝送リソースがある場合、前記送信ユニットは、前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることを特徴とする
請求項３１〜４１のいずれか一項に記載の装置。
【請求項４８】
前記第一のコアネットワーク要素と前記アクセスネットワーク要素の間に前記第一のデバイスグループの専用伝送リソースがなく、且つ共通伝送リソースがある場合、前記送信ユニットは、前記共通伝送リソースを介して前記データをアクセスネットワーク要素に送信することを特徴とする
請求項４７に記載の装置。
【請求項４９】
前記装置はさらに、
前記第一のコアネットワーク要素と前記アクセスネットワーク要素の間に共通伝送リソースがない場合、前記第一のコアネットワーク要素と前記アクセスネットワーク要素の間に共通伝送リソースを確立することを要求するように構成される第二の要求ユニットと、
前記アクセスネットワーク要素と前記共通伝送リソースを確立するように構成される第二の確立ユニットと、を備え、
前記送信ユニットは、前記共通伝送リソースを介して前記データをアクセスネットワーク要素に送信するようにさらに構成され、前記データに前記第一のデバイスグループのグループ識別子情報又は第一のデバイスグループにおける端末の識別子情報及び／又は端末のＰＤＵセッション情報及び／又は端末のサービス品質情報が含まれることを特徴とする
請求項３１〜４１のいずれか一項に記載の装置。
【請求項５０】
前記第二の要求ユニットは、前記第一のコアネットワーク要素と前記アクセスネットワーク要素の間に共通伝送リソースを確立することを、第二のコアネットワーク要素を介して第三のコアネットワーク要素に要求するように構成されるか、又は、前記第一のコアネットワーク要素と前記アクセスネットワーク要素の間に共通伝送リソースを確立することを第三のコアネットワーク要素に要求するように構成されることを特徴とする
請求項４９に記載の装置。
【請求項５１】
アクセスネットワーク要素に応用されるデータ伝送装置であって、
第一の伝送リソースを介して第一のコアネットワーク要素から送信されたデータを受信するように構成される受信ユニットであって、前記データが第一のデバイスグループに送信されるデータである受信ユニットと、
第二の伝送リソースを介して前記データを前記第一のデバイスグループにおける端末に送信するように構成される送信ユニットと、を備え、
ここで、前記データが前記第一のコアネットワーク要素、前記アクセスネットワーク要素及び前記端末の間のユーザプレーンで伝送される、前記データ伝送装置。
【請求項５２】
前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示すことを特徴とする
請求項５１に記載の装置。
【請求項５３】
前記第一の伝送リソース及び／又は前記第二の伝送リソースは、物理層識別子、論理チャネル、ベアラ、サービス品質（ＱｏＳ）フロー、プロトコルデータユニット（ＰＤＵ）セッション、インターネットプロトコル（ＩＰ）チャネル、汎用パケット無線サービス（ＧＰＲＳ）トンネリングプロトコル（ＧＴＰ）チャネルのうちの少なくとも１つのリソース属性を有することを特徴とする
請求項５２に記載の装置。
【請求項５４】
前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことを特徴とする
請求項５１に記載の装置。
【請求項５５】
前記アクセスネットワーク要素と前記端末の間に前記第一のデバイスグループの専用伝送リソースがある場合、前記送信ユニットは、前記専用伝送リソースを介して前記データを前記第一のデバイスグループにおける端末に送信することを特徴とする
請求項５１〜５４のいずれか一項に記載の装置。
【請求項５６】
前記アクセスネットワーク要素と前記端末の間に共通伝送リソースがある場合、前記送信ユニットは、前記共通伝送リソースを介して前記データを前記第一のデバイスグループにおける端末に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることを特徴とする
請求項５１〜５４のいずれか一項に記載の装置。
【請求項５７】
端末に応用されるデータ伝送装置であって、
第二の伝送リソースを介してアクセスネットワーク要素から送信されたデータを受信するように構成される受信ユニットであって、前記データが第一のデバイスグループに送信されるデータである受信ユニットと、
前記データに対応するデバイスグループが前記第一のデバイスグループであることを識別するように構成される識別ユニットと、を備え、
ここで、前記データが前記アクセスネットワーク要素及び前記端末の間のユーザプレーンで伝送される、前記データ伝送装置。
【請求項５８】
前記第二の伝送リソースが専用伝送リソースである場合、前記識別ユニットは、前記第二の伝送リソースのリソース属性によって前記データに対応するデバイスグループが前記第一のデバイスグループであることを識別することを特徴とする
請求項５７に記載の装置。
【請求項５９】
前記第二の伝送リソースは物理層識別子、論理チャネル、ベアラ、サービス品質（ＱｏＳ）フロー、プロトコルデータユニット（ＰＤＵ）セッション、インターネットプロトコル（ＩＰ）チャネル、汎用パケット無線サービス（ＧＰＲＳ）トンネリングプロトコル（ＧＴＰ）チャネルのうちの少なくとも１つのリソース属性を有することを特徴とする
請求項５８に記載の装置。
【請求項６０】
前記第二の伝送リソースが共通伝送リソースである場合、前記識別ユニットは、前記データに含まれる前記第一のデバイスグループのグループ識別子情報によって前記データに対応するデバイスグループが前記第一のデバイスグループであることを識別するか、又は、前記データに含まれる前記第一のデバイスグループにおける端末の識別子情報及び／又は端末のプロトコルユニット（ＰＤＵ）セッション情報及び／又は端末のサービス品質情報によって前記データに対応するデバイスグループが前記第一のデバイスグループであることを識別することを特徴とする
請求項５７に記載の装置。
【請求項６１】
コンピュータ実行可能コマンドを記憶しているコンピュータ記憶媒体であって、前記コンピュータ実行可能コマンドがプロセッサに実行される時に請求項１〜２０のいずれか一項に記載の方法のステップ、又は請求項２１〜２６のいずれか一項に記載の方法のステップ、又は請求項２７〜３０のいずれか一項に記載の方法のステップを実現する、前記コンピュータ記憶媒体。
【発明の詳細な説明】
【技術分野】
【０００１】
本発明は、無線通信技術分野に関し、特にデータ伝送方法及び装置、コンピュータ記憶媒体に関する。
【背景技術】
【０００２】
将来のネットワークでは、モノのインターネット（ＩｏＴ：Ｉｎｔｅｒｎｅｔ  ｏｆ  Ｔｈｉｎｇｓ）デバイスが多く存在する。従来のプロトコルでは、ウェアラブルデバイス又はスマート家具デバイスなどのモノのインターネットデバイスは通常、所有者のスマートフォンに接続され、この接続が両者の間の直接インターフェース、例えばサイドリンク（ｓｉｄｅｌｉｎｋ）インターフェースを介して直接行われてもよい。ネットワークがこのグループの端末（例えばウェアラブルデバイス＋スマートフォン）にメッセージを送信する必要がある場合、現在の方式に従って、端末ごとにデータを送信するため、リソースが深刻に浪費されてしまう。
【発明の概要】
【発明が解決しようとする課題】
【０００３】
上記技術的問題を解決するために、本発明の実施形態はデータ伝送方法及び装置、コンピュータ記憶媒体を提供する。
【課題を解決するための手段】
【０００４】
本発明の実施形態によるデータ伝送方法は、
第一のコアネットワーク要素が外部ネットワークから送信されたデータを受信することであって、前記データが第一のデバイスグループに送信されるデータであることと、
アクセスネットワーク要素が第二の伝送リソースを介して前記データを前記第一のデバイスグループにおける端末に送信できるように、前記第一のコアネットワーク要素が第一の伝送リソースを介して前記データをアクセスネットワーク要素に送信することと、を含み、
ここで、前記データが前記第一のコアネットワーク要素、前記アクセスネットワーク要素及び前記端末の間のユーザプレーンで伝送される。
【０００５】
本発明の実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【０００６】
本発明の実施形態では、前記第一の伝送リソースは、物理層識別子、論理チャネル、ベアラ、サービス品質（ＱｏＳ：Ｑｕａｌｉｔｙ  ｏｆ  Ｓｅｒｖｉｃｅ）フロー、プロトコルデータユニット（ＰＤＵ：Ｐｒｏｔｏｃｏｌ  Ｄａｔａ  Ｕｎｉｔ）セッション、インターネットプロトコル（ＩＰ：Ｉｎｔｅｒｎｅｔ  Ｐｒｏｔｏｃｏｌ）チャネル、汎用パケット無線サービス（ＧＰＲＳ：Ｇｅｎｅｒａｌ  Ｐａｃｋｅｔ  Ｒａｄｉｏ  Ｓｅｒｖｉｃｅ）トンネリングプロトコル（ＧＴＰ：ＧＰＲＳ  Ｔｕｎｎｅｌｌｉｎｇ  Ｐｒｏｔｏｃｏｌ）チャネルのうちの少なくとも１つのリソース属性を有する。
【０００７】
本発明の実施形態では、前記第一の伝送リソース及び／又は前記第二の伝送リソースが共通伝送リソースである場合、前記データを伝送する時に前記第一のデバイスグループのグループ識別子情報を搬送（Ｃａｒｒｙ）することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【０００８】
本発明の実施形態では、前記データを伝送する時に前記第一のデバイスグループのグループ識別子情報を搬送することで、前記データに対応するデバイスグループが前記第一のデバイスグループであることを示すことは、
前記第一のコアネットワーク要素が前記第一のデバイスグループのグループ識別子情報を前記端末に対応するターゲットプロトコル層のＰＤＵにカプセル化し、前記ＰＤＵに前記データが含まれることを含む。
【０００９】
本発明の実施形態では、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことは、
前記第一のコアネットワーク要素が前記第一のデバイスグループにおける端末の識別子情報及び／又は端末のＰＤＵセッション情報及び／又は端末のサービス品質情報を前記端末に対応するターゲットプロトコル層のＰＤＵにカプセル化し、前記ＰＤＵに前記データが含まれることを含む。
【００１０】
本発明の実施形態では、前記ターゲットプロトコル層はＩＰ層、又はアクセス層（ＡＳ：Ａｃｃｅｓｓ  Ｓｔｒａｔｕｍ）である。
【００１１】
本発明の実施形態では、前記第一のコアネットワーク要素が外部ネットワークから送信されたデータを受信することは、
前記第一のコアネットワーク要素が第三の伝送リソースを介して外部ネットワークから送信されたデータを受信し、前記第三の伝送リソースが前記第一のデバイスグループの専用伝送リソースであることを含む。
【００１２】
本発明の実施形態では、前記外部ネットワークから送信されたデータには前記第一のデバイスグループのグループ識別子情報又は前記第一のデバイスグループにおける端末の識別子情報及び／又は端末のＰＤＵセッション情報及び／又は端末のサービス品質情報が含まれる。
【００１３】
本発明の実施形態では、前記第一のデバイスグループにおける端末の識別子情報は外部識別子情報、例えば一般的なパブリックサブスクリプション識別子（ＧＰＳＩ：Ｇｅｎｅｒｉｃ  Ｐｕｂｌｉｃ  Ｓｕｂｓｃｒｉｐｔｉｏｎ  Ｉｄｅｎｔｉｆｉｅｒ）である。
【００１４】
本発明の実施形態では、前記第三の伝送リソースのリソース属性によって前記データに対応するデバイスグループが前記第一のデバイスグループであることを示すか、又は、
前記データに含まれる前記第一のデバイスグループのグループ識別子情報によって前記データに対応するデバイスグループが前記第一のデバイスグループであることを示すか、又は、前記データに含まれる前記第一のデバイスグループにおける端末の識別子情報及び／又は端末のＰＤＵセッション情報及び／又は端末のサービス品質情報によって前記データに対応するデバイスグループが前記第一のデバイスグループであることを示す。
【００１５】
本発明の実施形態では、前記第一のコアネットワーク要素が第一の伝送リソースを介して前記データをアクセスネットワーク要素に送信することは、
前記第一のコアネットワーク要素と前記アクセスネットワーク要素の間に前記第一のデバイスグループの専用伝送リソースがある場合、前記第一のコアネットワーク要素が前記専用伝送リソースを介して前記データをアクセスネットワーク要素に送信することを含む。
【００１６】
本発明の実施形態では、前記第一のコアネットワーク要素が第一の伝送リソースを介して前記データをアクセスネットワーク要素に送信することは、
前記第一のコアネットワーク要素と前記アクセスネットワーク要素の間に前記第一のデバイスグループの専用伝送リソースがない場合、前記第一のコアネットワーク要素が前記第一のコアネットワーク要素と前記アクセスネットワーク要素の間に前記第一のデバイスグループの専用伝送リソースを確立することを要求することと、
前記第一のコアネットワーク要素が前記専用伝送リソースを介して前記データをアクセスネットワーク要素に送信することと、を含む。
【００１７】
本発明の実施形態では、前記第一のコアネットワーク要素が前記第一のコアネットワーク要素と前記アクセスネットワーク要素の間に前記第一のデバイスグループの専用伝送リソースを確立することを要求することは、
前記第一のコアネットワーク要素が前記第一のコアネットワーク要素と前記アクセスネットワーク要素の間に前記第一のデバイスグループの専用伝送リソースを確立することを、第二のコアネットワーク要素を介して第三のコアネットワーク要素に要求すること、又は、
前記第一のコアネットワーク要素が前記第一のコアネットワーク要素と前記アクセスネットワーク要素の間に前記第一のデバイスグループの専用伝送リソースを確立することを、第三のコアネットワーク要素に要求することを含む。
【００１８】
本発明の実施形態では、前記第一のコアネットワーク要素は、前記第一のコアネットワーク要素と前記アクセスネットワーク要素の間に前記第一のデバイスグループの専用伝送リソースを確立することを要求する時に、前記第三のコアネットワーク要素へ前記第一のデバイスグループのグループ情報を送信する。
【００１９】
本発明の実施形態では、第一のデバイスグループのグループ情報は、ＰＤＵセッション情報、ＱｏＳフロー情報、ＱｏＳ情報、コアネットワークアドレス情報、グループ識別子情報、ＩＰチャネル、ＧＴＰチャネルのうちの少なくとも１つを含む。
【００２０】
本発明の実施形態では、前記第一のコアネットワーク要素が第一の伝送リソースを介して前記データをアクセスネットワーク要素に送信することは、
前記第一のコアネットワーク要素と前記アクセスネットワーク要素の間に共通伝送リソースがある場合、前記第一のコアネットワーク要素が前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることを含む。
【００２１】
本発明の実施形態では、前記第一のコアネットワーク要素と前記アクセスネットワーク要素の間に前記第一のデバイスグループの専用伝送リソースがなく、且つ共通伝送リソースがある場合、前記第一のコアネットワーク要素は、前記共通伝送リソースを介して前記データをアクセスネットワーク要素に送信する。
【００２２】
本発明の実施形態では、前記第一のコアネットワーク要素が第一の伝送リソースを介して前記データをアクセスネットワーク要素に送信することは、
前記第一のコアネットワーク要素と前記アクセスネットワーク要素の間に共通伝送リソースがない場合、前記第一のコアネットワーク要素が前記第一のコアネットワーク要素と前記アクセスネットワーク要素の間に共通伝送リソースを確立することを要求することと、
前記第一のコアネットワーク要素が前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることと、を含む。
【００２３】
本発明の実施形態では、前記第一のコアネットワーク要素が前記第一のコアネットワーク要素と前記アクセスネットワーク要素の間に共通伝送リソースを確立することを要求することは、
前記第一のコアネットワーク要素が前記第一のコアネットワーク要素と前記アクセスネットワーク要素の間に共通伝送リソースを確立することを、第二のコアネットワーク要素を介して第三のコアネットワーク要素に要求すること、又は、
前記第一のコアネットワーク要素が前記第一のコアネットワーク要素と前記アクセスネットワーク要素の間に共通伝送リソースを確立することを、第三のコアネットワーク要素に要求することを含む。
【００２４】
本発明の実施形態によるデータ伝送方法は、
アクセスネットワーク要素が第一の伝送リソースを介して第一のコアネットワーク要素から送信されたデータを受信することであって、前記データが第一のデバイスグループに送信されるデータであることと、
前記アクセスネットワーク要素が第二の伝送リソースを介して前記データを前記第一のデバイスグループにおける端末に送信することと、を含み、
ここで、前記データが前記第一のコアネットワーク要素、前記アクセスネットワーク要素及び前記端末の間のユーザプレーンで伝送される。
【００２５】
本発明の実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【００２６】
本発明の実施形態では、前記第一の伝送リソース及び／又は前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００２７】
本発明の実施形態では、前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【００２８】
本発明の実施形態では、前記アクセスネットワーク要素が第二の伝送リソースを介して前記データを前記第一のデバイスグループにおける端末に送信することは、
前記アクセスネットワーク要素と前記端末の間に前記第一のデバイスグループの専用伝送リソースがある場合、前記アクセスネットワーク要素が前記専用伝送リソースを介して前記データを前記第一のデバイスグループにおける端末に送信することを含む。
【００２９】
本発明の実施形態では、前記アクセスネットワーク要素が第二の伝送リソースを介して前記データを前記第一のデバイスグループにおける端末に送信することは、
前記アクセスネットワーク要素と前記端末の間に共通伝送リソースがある場合、前記アクセスネットワーク要素が前記共通伝送リソースを介して前記データを前記第一のデバイスグループにおける端末に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることを含む。
【００３０】
本発明の実施形態によるデータ伝送方法は、
端末が第二の伝送リソースを介してアクセスネットワーク要素から送信されたデータを受信することであって、前記データが第一のデバイスグループに送信されるデータであることと、
前記端末が前記データに対応するデバイスグループが前記第一のデバイスグループであることを識別することと、を含み、
ここで、前記データが前記アクセスネットワーク要素及び前記端末の間のユーザプレーンで伝送される。
【００３１】
本発明の実施形態では、前記端末が前記データに対応するデバイスグループが前記第一のデバイスグループであることを識別することは、
前記第二の伝送リソースが専用伝送リソースである場合、前記端末が前記第二の伝送リソースのリソース属性によって前記データに対応するデバイスグループが前記第一のデバイスグループであることを識別することを含む。
【００３２】
本発明の実施形態では、前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００３３】
本発明の実施形態では、前記端末が前記データに対応するデバイスグループが前記第一のデバイスグループであることを識別することは、
前記第二の伝送リソースが共通伝送リソースである場合、前記端末が前記データに含まれる前記第一のデバイスグループのグループ識別子情報によって前記データに対応するデバイスグループが前記第一のデバイスグループであることを識別するか、又は、前記データに含まれる前記第一のデバイスグループにおける端末の識別子情報及び／又は端末のプロトコルユニット（ＰＤＵ）セッション情報及び／又は端末のサービス品質情報によって前記データに対応するデバイスグループが前記第一のデバイスグループであることを識別することを含む。
【００３４】
本発明の実施形態によるデータ伝送装置は、第一のコアネットワーク要素に応用される。前記装置は、
外部ネットワークから送信されたデータを受信するように構成される受信ユニットであって、前記データが第一のデバイスグループに送信されるデータである受信ユニットと、
アクセスネットワーク要素が第二の伝送リソースを介して前記データを前記第一のデバイスグループにおける端末に送信できるように、第一の伝送リソースを介して前記データをアクセスネットワーク要素に送信するように構成される送信ユニットと、を備え、
ここで、前記データが前記第一のコアネットワーク要素、前記アクセスネットワーク要素及び前記端末の間のユーザプレーンで伝送される。
【００３５】
本発明の実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【００３６】
本発明の実施形態では、前記第一の伝送リソース及び／又は前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００３７】
本発明の実施形態では、前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【００３８】
本発明の実施形態では、前記装置はさらに、
前記第一のデバイスグループのグループ識別子情報を前記端末に対応するターゲットプロトコル層のＰＤＵにカプセル化するように構成され、前記ＰＤＵに前記データが含まれるカプセル化ユニットを備える。
【００３９】
本発明の実施形態では、前記装置はさらに、
前記第一のデバイスグループにおける端末の識別子情報及び／又は端末のＰＤＵセッション情報及び／又は端末のサービス品質情報を前記端末に対応するターゲットプロトコル層のＰＤＵにカプセル化するように構成され、前記ＰＤＵに前記データが含まれるカプセル化ユニットを備える。
【００４０】
本発明の実施形態では、前記ターゲットプロトコル層はＩＰ層、又はＡＳ層である。
【００４１】
本発明の実施形態では、前記受信ユニットは、第三の伝送リソースを介して外部ネットワークから送信されたデータを受信するように構成され、前記第三の伝送リソースが前記第一のデバイスグループの専用伝送リソースである。
【００４２】
本発明の実施形態では、前記外部ネットワークから送信されたデータには前記第一のデバイスグループのグループ識別子情報又は前記第一のデバイスグループにおける端末の識別子情報及び／又は端末のＰＤＵセッション情報及び／又は端末のサービス品質情報が含まれる。
【００４３】
本発明の実施形態では、前記第一のデバイスグループにおける端末の識別子情報は外部識別子情報である。
【００４４】
本発明の実施形態では、前記第三の伝送リソースのリソース属性によって前記データに対応するデバイスグループが前記第一のデバイスグループであることを示すか、又は、
前記データに含まれる前記第一のデバイスグループのグループ識別子情報によって前記データに対応するデバイスグループが前記第一のデバイスグループであることを示すか、又は、前記データに含まれる前記第一のデバイスグループにおける端末の識別子情報及び／又は端末のＰＤＵセッション情報及び／又は端末のサービス品質情報によって前記データに対応するデバイスグループが前記第一のデバイスグループであることを示す。
【００４５】
本発明の実施形態では、前記第一のコアネットワーク要素と前記アクセスネットワーク要素の間に前記第一のデバイスグループの専用伝送リソースがある場合、前記送信ユニットは前記専用伝送リソースを介して前記データをアクセスネットワーク要素に送信する。
【００４６】
本発明の実施形態では、前記装置はさらに、
前記第一のコアネットワーク要素と前記アクセスネットワーク要素の間に前記第一のデバイスグループの専用伝送リソースがない場合、前記第一のコアネットワーク要素と前記アクセスネットワーク要素の間に前記第一のデバイスグループの専用伝送リソースを確立することを要求するように構成される第一の要求ユニットと、
前記アクセスネットワーク要素と前記第一のデバイスグループの専用伝送リソースを確立するように構成される第一の確立ユニットと、を備え、
前記送信ユニットは前記専用伝送リソースを介して前記データをアクセスネットワーク要素に送信するように構成される。
【００４７】
本発明の実施形態では、前記第一の要求ユニットは、前記第一のコアネットワーク要素と前記アクセスネットワーク要素の間に前記第一のデバイスグループの専用伝送リソースを確立することを、第二のコアネットワーク要素を介して第三のコアネットワーク要素に要求するように構成されるか、又は、前記第一のコアネットワーク要素と前記アクセスネットワーク要素の間に前記第一のデバイスグループの専用伝送リソースを確立することを第三のコアネットワーク要素に要求するように構成される。
【００４８】
本発明の実施形態では、前記要求ユニットは、前記第一のコアネットワーク要素と前記アクセスネットワーク要素の間に前記第一のデバイスグループの専用伝送リソースを確立することを要求する時に、前記第三のコアネットワーク要素へ前記第一のデバイスグループのグループ情報を送信する。
【００４９】
本発明の実施形態では、第一のデバイスグループのグループ情報は、ＰＤＵセッション情報、ＱｏＳフロー情報、ＱｏＳ情報、コアネットワークアドレス情報、グループ識別子情報、ＩＰチャネル、ＧＴＰチャネルのうちの少なくとも１つを含む。
【００５０】
本発明の実施形態では、前記第一のコアネットワーク要素と前記アクセスネットワーク要素の間に共通伝送リソースがある場合、前記送信ユニットは、前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。
【００５１】
本発明の実施形態では、前記第一のコアネットワーク要素と前記アクセスネットワーク要素の間に前記第一のデバイスグループの専用伝送リソースがなく、且つ共通伝送リソースがある場合、前記送信ユニットは、前記共通伝送リソースを介して前記データをアクセスネットワーク要素に送信する。
【００５２】
本発明の実施形態では、前記装置はさらに、
前記第一のコアネットワーク要素と前記アクセスネットワーク要素の間に共通伝送リソースがない場合、前記第一のコアネットワーク要素と前記アクセスネットワーク要素の間に共通伝送リソースを確立することを要求するように構成される第二の要求ユニットと、
前記アクセスネットワーク要素と前記共通伝送リソースを確立するように構成される第二の確立ユニットと、を備え、
前記送信ユニットは、前記共通伝送リソースを介して前記データをアクセスネットワーク要素に送信するように構成され、前記データに前記第一のデバイスグループのグループ識別子情報又は第一のデバイスグループにおける端末の識別子情報及び／又は端末のＰＤＵセッション情報及び／又は端末のサービス品質情報が含まれる。
【００５３】
本発明の実施形態では、前記第二の要求ユニットは、前記第一のコアネットワーク要素と前記アクセスネットワーク要素の間に共通伝送リソースを確立することを、第二のコアネットワーク要素を介して第三のコアネットワーク要素に要求するように構成されるか、又は、前記第一のコアネットワーク要素と前記アクセスネットワーク要素の間に共通伝送リソースを確立することを第三のコアネットワーク要素に要求するように構成される。
【００５４】
本発明の実施形態によるデータ伝送装置は、アクセスネットワーク要素に応用される。前記装置は、
第一の伝送リソースを介して第一のコアネットワーク要素から送信されたデータを受信するように構成される受信ユニットであって、前記データが第一のデバイスグループに送信されるデータである受信ユニットと、
第二の伝送リソースを介して前記データを前記第一のデバイスグループにおける端末に送信するように構成される送信ユニットと、を備え、
ここで、前記データが前記第一のコアネットワーク要素、前記アクセスネットワーク要素及び前記端末の間のユーザプレーンで伝送される。
【００５５】
本発明の実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【００５６】
本発明の実施形態では、前記第一の伝送リソース及び／又は前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００５７】
本発明の実施形態では、前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【００５８】
本発明の実施形態では、前記アクセスネットワーク要素と前記端末の間に前記第一のデバイスグループの専用伝送リソースがある場合、前記送信ユニットは、前記専用伝送リソースを介して前記データを前記第一のデバイスグループにおける端末に送信する。
【００５９】
本発明の実施形態では、前記アクセスネットワーク要素と前記端末の間に共通伝送リソースがある場合、前記送信ユニットは、前記データを共通伝送リソースを介して前記第一のデバイスグループにおける端末に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。
【００６０】
本発明の実施形態によるデータ伝送装置は、端末に応用される。前記装置は、
第二の伝送リソースを介してアクセスネットワーク要素から送信されたデータを受信するように構成される受信ユニットであって、前記データが第一のデバイスグループに送信されるデータである受信ユニットと、
前記データに対応するデバイスグループが前記第一のデバイスグループであることを識別するように構成される識別ユニットと、を備え、
ここで、前記データが前記アクセスネットワーク要素及び前記端末の間のユーザプレーンで伝送される。
【００６１】
本発明の実施形態では、前記第二の伝送リソースが専用伝送リソースである場合、前記識別ユニットは、前記第二の伝送リソースのリソース属性によって前記データに対応するデバイスグループが前記第一のデバイスグループであることを識別する。
【００６２】
本発明の実施形態では、前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００６３】
本発明の実施形態では、前記第二の伝送リソースが共通伝送リソースである場合、前記識別ユニットは、前記データに含まれる前記第一のデバイスグループのグループ識別子情報によって前記データに対応するデバイスグループが前記第一のデバイスグループであることを識別するか、又は、前記データに含まれる前記第一のデバイスグループにおける端末の識別子情報及び／又は端末のプロトコルユニット（ＰＤＵ）セッション情報及び／又は端末のサービス品質情報によって前記データに対応するデバイスグループが前記第一のデバイスグループであることを識別する。
【００６４】
本発明の実施形態によるコンピュータ記憶媒体は、コンピュータ実行可能コマンドを記憶し、前記コンピュータ実行可能コマンドがプロセッサに実行される時に上記データ伝送方法を実現する。
【００６５】
本発明の実施形態の技術的解決策では、第一のコアネットワーク要素は外部ネットワークから送信されたデータを受信し、前記データが第一のデバイスグループに送信されるデータであり、アクセスネットワーク要素が第二の伝送リソースを介して前記データを前記第一のデバイスグループにおける端末に送信できるように、前記第一のコアネットワーク要素は、第一の伝送リソースを介して前記データをアクセスネットワーク要素に送信し、前記データが前記第一のコアネットワーク要素、前記アクセスネットワーク要素及び前記端末の間のユーザプレーンで伝送される。本発明の実施形態の技術的解決策によれば、ネットワークがデータを一つのデバイスグループに送信する必要がある場合、前記デバイスグループの各端末にデータを送信することなく、ユーザプレーンで前記デバイスグループのグループデータを伝送するため、リソース浪費が回避される。
【図面の簡単な説明】
【００６６】
【図１】本発明の実施形態の５Ｇネットワークのシステムアーキテクチャ図である。
【図２】本発明の実施形態の４Ｇネットワークのシステムアーキテクチャ図である。
【図３】本発明の実施形態のデータ伝送方法のフローチャート１である。
【図４】本発明の実施形態のユーザプレーン伝送経路の概略図である。
【図５】本発明の実施形態のデータ伝送方法のフローチャート２である。
【図６】本発明の実施形態のデータ伝送方法のフローチャート３である。
【図７】本発明の実施形態のデータ伝送装置の構造構成図１である。
【図８】本発明の実施形態のデータ伝送装置の構造構成図２である。
【図９】本発明の実施形態のデータ伝送装置の構造構成図３である。
【図１０】本発明の実施形態のコンピュータデバイスの構造構成図である。
【発明を実施するための形態】
【００６７】
ここで説明される図面は本発明をさらに理解させるためのものであり、本出願の一部を構成し、本発明の概略的な実施形態及びその説明は本発明を解釈するためのものであり、本発明に対する不適切な限定を構成しない。
【００６８】
本発明の実施形態の特徴と技術内容をより詳しく理解することができるために、以下に図面と組み合わせて本発明の実施形態の実現を詳しく説明し、添付の図面が例示のみを目的としており、本発明の実施形態を限定することに用いられない。
【００６９】
図１は本発明の実施形態の５Ｇネットワークのシステムアーキテクチャ図である。図１に示すように、５Ｇネットワークシステムに関連するデバイスは、
端末（ＵＥ：Ｕｓｅｒ  Ｅｑｕｉｐｍｅｎｔ）、無線アクセスネットワーク（ＲＡＮ：Ｒａｄｉｏ  Ａｃｃｅｓｓ  Ｎｅｔｗｏｒｋ）、ユーザプレーン機能（ＵＰＦ：Ｕｓｅｒ  Ｐｌａｎｅ  Ｆｕｎｃｔｉｏｎ）、データネットワーク（ＤＮ：Ｄａｔａ  Ｎｅｔｗｏｒｋ）、受信コアアクセス及びモビリティ管理機能（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ：Ｓｅｓｓｉｏｎ  Ｍａｎａｇｅｍｅｎｔ  Ｆｕｎｃｔｉｏｎ）、ポリシー制御機能（ＰＣＦ：Ｐｏｌｉｃｙ  Ｃｏｎｔｒｏｌ  ｆｕｎｃｔｉｏｎ）、アプリケーション機能（ＡＦ：Ａｐｐｌｉｃａｔｉｏｎ  Ｆｕｎｃｔｉｏｎ）、認証サーバ機能（ＡＵＳＦ：Ａｕｔｈｅｎｔｉｃａｔｉｏｎ  Ｓｅｒｖｅｒ  Ｆｕｎｃｔｉｏｎ）、統一データ管理（ＵＤＭ：Ｕｎｉｆｉｅｄ  Ｄａｔａ  Ｍａｎａｇｅｍｅｎｔ）を含む。
【００７０】
図２は本発明の実施形態の４Ｇネットワークのシステムアーキテクチャ図である。図２に示すように、４Ｇネットワークシステムに関連する装置は、
端末（ＵＥ：Ｕｓｅｒ  Ｅｑｕｉｐｍｅｎｔ）、進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、モビリティ管理エンティティ（ＭＭＥ：Ｍｏｂｉｌｉｔｙ  Ｍａｎａｇｅｍｅｎｔ  Ｅｎｔｉｔｙ）ネットワーク要素、サービングＧＰＲＳサポートノード（ＳＧＳＮ：Ｓｅｒｖｉｎｇ  ＧＰＲＳ  Ｓｕｐｐｏｒｔ  Ｎｏｄｅ）、ホームサブスクライバーサーバ（ＨＳＳ：Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ：Ｐａｃｋｅｔ  Ｄａｔａ  Ｎｅｔｗｏｒｋ  Ｇａｔｅｗａｙ）、ポリシー及び課金ルール機能ユニット（ＰＣＲＦ：Ｐｏｌｉｃｙ  ａｎｄ  Ｃｈａｒｇｉｎｇ  Ｒｕｌｅｓ  Ｆｕｎｃｔｉｏｎ）を含む。
【００７１】
上記図１、図２の例は本発明の実施形態を実現するための一つのネットワークアーキテクチャの例だけであり、本発明の実施形態は、上記図１、図２に記載されるネットワーク構造に限定されない。
【００７２】
図３は本発明の実施形態のデータ伝送方法のフローチャート１である。図３に示すように、前記データ伝送方法は以下のステップを含む。
【００７３】
ステップ３０１において、第一のコアネットワーク要素は外部ネットワークから送信されたデータを受信し、前記データが第一のデバイスグループに送信されるデータである。
【００７４】
本発明の実施形態では、外部ネットワークはＤＮであってもよく、第一のコアネットワーク要素はＵＰＦであってもよい。アクセスネットワーク要素はＲＡＮであってもよい。また、前記第一のデバイスは１つの端末を含んでもよいし、２つ以上の端末を含んでもよい。
【００７５】
本発明の実施形態では、前記第一のコアネットワーク要素は、第三の伝送リソースを介して外部ネットワークから送信されたデータを受信し、前記第三の伝送リソースが前記第一のデバイスグループの専用伝送リソースである。
【００７６】
一実施形態では、前記外部ネットワークから送信されたデータには前記第一のデバイスグループのグループ識別子情報又は前記第一のデバイスグループにおける端末の識別子情報及び／又は端末のＰＤＵセッション情報及び／又は端末のサービス品質情報が含まれる。ここで、前記第一のデバイスグループにおける端末の識別子情報は外部識別子情報、例えばＧＰＳＩである。
【００７７】
ここで、前記データに対応するデバイスグループは以下の方式によって示される。
【００７８】
１）前記第三の伝送リソースのリソース属性によって前記データに対応するデバイスグループが前記第一のデバイスグループであることを示すか、又は、
２）前記データに含まれる前記第一のデバイスグループのグループ識別子情報によって前記データに対応するデバイスグループが前記第一のデバイスグループであることを示すか、又は、前記データに含まれる前記第一のデバイスグループにおける端末の識別子情報及び／又は端末のＰＤＵセッション情報及び／又は端末のサービス品質情報によって前記データに対応するデバイスグループが前記第一のデバイスグループであることを示す。
【００７９】
本発明の実施形態では５Ｇシステムを例として説明する。図４に示すように、ダウンリンクグループデータは、ユーザプレーン経路を介して端末に伝送され、ここで、グループデータが一つのグループの端末に送信されるデータを指す。
【００８０】
図４のステップ１を参照すると、外部ネットワークがデータを第一のデバイスグループに送信する必要がある場合、ＤＮはデータをＵＰＦに送信し、データが特定のグループチャネル、例えば特定のＩＰアドレス、特定のデバイスアドレス、特定のＧＴＰ−Ｕ（ＧＴＰ−Ｕｓｅｒ  ｐｌａｎｅ）チャネルなどを介して送信されてもよい。一実施形態では、ＤＮは送信されるデータにグループ識別子情報を含ませる。
【００８１】
ステップ３０２において、アクセスネットワーク要素が第二の伝送リソースを介して前記データを前記第一のデバイスグループにおける端末に送信できるように、前記第一のコアネットワーク要素は第一の伝送リソースを介して前記データをアクセスネットワーク要素に送信し、前記データが前記第一のコアネットワーク要素、前記アクセスネットワーク要素及び前記端末の間のユーザプレーンで伝送される。
【００８２】
本発明の実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【００８３】
ここで、前記第一の伝送リソース及び／又は前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００８４】
本発明の実施形態では、前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【００８５】
一実施形態では、前記第一のコアネットワーク要素は、前記第一のデバイスグループのグループ識別子情報を前記端末に対応するターゲットプロトコル層のＰＤＵにカプセル化し、前記ＰＤＵに前記データが含まれる。他の実施形態では、前記第一のコアネットワーク要素は前記第一のデバイスグループにおける端末の識別子情報及び／又は端末のＰＤＵセッション情報及び／又は端末のサービス品質情報を前記端末に対応するターゲットプロトコル層のＰＤＵにカプセル化し、前記ＰＤＵに前記データが含まれる。
【００８６】
ここで、前記ターゲットプロトコル層はＩＰ層、又はＡＳ層である。
【００８７】
具体的に実現する時に、ＵＰＦはグループ識別子情報をＵＰＦとＵＥのピアプロトコルレイヤー（例えばＩＰ層又はＡＳ層）にカプセル化することができ、ＲＡＮ側はグループ識別子情報を識別する必要がなく、ＵＥがＵＰＦのピアプロトコルレイヤーのデータユニットを受信した後、前記データがどのグループのグループデータであるかを識別することができる。
【００８８】
本発明の実施形態では、前記第一のコアネットワーク要素が第一の伝送リソースを介して前記データをアクセスネットワーク要素に送信することは、具体的に以下のいくつかの状況を含む。
【００８９】
状況１において、前記第一のコアネットワーク要素と前記アクセスネットワーク要素の間に前記第一のデバイスグループの専用伝送リソースがある場合、前記第一のコアネットワーク要素は、前記専用伝送リソースを介して前記データをアクセスネットワーク要素に送信する。
【００９０】
図４のステップ２を参照すると、ＵＰＦは外部からのグループデータを受信するとデータをＲＡＮに送信し、ＲＡＮとＵＰＦの間にグループ専用接続チャネルがあると、ＵＰＦはデータを前記グループ専用接続チャネルでＲＡＮに送信する。
【００９１】
状況２において、前記第一のコアネットワーク要素と前記アクセスネットワーク要素の間に前記第一のデバイスグループの専用伝送リソースがない場合、前記第一のコアネットワーク要素は前記第一のコアネットワーク要素と前記アクセスネットワーク要素の間に前記第一のデバイスグループの専用伝送リソースを確立することを要求し、前記第一のコアネットワーク要素は前記専用伝送リソースを介して前記データをアクセスネットワーク要素に送信する。
【００９２】
一実施形態では、前記第一のコアネットワーク要素は、前記第一のコアネットワーク要素と前記アクセスネットワーク要素の間に前記第一のデバイスグループの専用伝送リソースを確立することを、第二のコアネットワーク要素を介して第三のコアネットワーク要素に要求するか、又は、前記第一のコアネットワーク要素は、前記第一のコアネットワーク要素と前記アクセスネットワーク要素の間に前記第一のデバイスグループの専用伝送リソースを確立することを第三のコアネットワーク要素に要求する。
【００９３】
一実施形態では、前記第一のコアネットワーク要素は、前記第一のコアネットワーク要素と前記アクセスネットワーク要素の間に前記第一のデバイスグループの専用伝送リソースを確立することを要求する時に、前記第三のコアネットワーク要素へ前記第一のデバイスグループのグループ情報を送信し、ここで、第一のデバイスグループのグループ情報がＰＤＵセッション情報、ＱｏＳフロー情報、ＱｏＳ情報、コアネットワークアドレス情報、グループ識別子情報、ＩＰチャネル、ＧＴＰチャネルのうちの少なくとも１つを含む。
【００９４】
図４のステップ２ａ、ステップ２ｂ、ステップ２ｃとステップ２を参照すると、ＲＡＮとＵＰＦの間にグループ専用接続チャネルがない場合、ステップ２ａで、ＵＰＦはコアネットワークにおけるＳＭＦへグループ専用接続チャネル確立要求メッセージ（要求メッセージと略称）を送信し、前記要求メッセージにグループの関連情報、例えばＰＤＵセッション情報、ＱｏＳフロー情報、ＱｏＳ情報、コアネットワークアドレス情報、グループ識別子情報などが含まれる。ステップ２ｂで、ＳＭＦは、ＵＰＦとＲＡＮの間のグループ専用接続チャネルを確立することをＡＭＦに要求し、その中にグループの関連情報、例えばＰＤＵセッション情報、ＱｏＳフロー情報、ＱｏＳ情報、コアネットワークアドレス情報、グループ識別子情報などが含まれる。ＡＭＦは、要求メッセージを受信した後に前記要求メッセージをＲＡＮに送信し、ＲＡＮはグループ専用接続チャネルの確立を確認する応答メッセージを返信する。ＡＭＦは応答メッセージをＳＭＦに伝達し、ＳＭＦは応答メッセージにおけるグループ専用接続チャネル情報をＵＰＦに通知する。
【００９５】
状況３において、前記第一のコアネットワーク要素と前記アクセスネットワーク要素の間に共通伝送リソースがある場合、前記第一のコアネットワーク要素は、前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。
【００９６】
状況３の一つの特殊な状況において、前記第一のコアネットワーク要素と前記アクセスネットワーク要素の間に前記第一のデバイスグループの専用伝送リソースがなく、且つ共通伝送リソースがある場合、前記第一のコアネットワーク要素は、前記共通伝送リソースを介して前記データをアクセスネットワーク要素に送信する。
【００９７】
図４を参照すると、ＲＡＮとＡＭＦの間にグループ専用接続チャネルがないが共通接続チャネルがある場合、ＡＭＦは、前記共通接続チャネルを介してＲＡＮへデータを送信するとともに、グループ識別子情報を含ませる。
【００９８】
状況４において、前記第一のコアネットワーク要素と前記アクセスネットワーク要素の間に共通伝送リソースがない場合、前記第一のコアネットワーク要素は、前記第一のコアネットワーク要素と前記アクセスネットワーク要素の間に共通伝送リソースを確立することを要求し、前記第一のコアネットワーク要素は、前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。ここで、第二のコアネットワーク要素はＳＭＦであってもよく、第三のコアネットワーク要素はＡＭＦであってもよい。
【００９９】
一実施形態では、前記第一のコアネットワーク要素は、前記第一のコアネットワーク要素と前記アクセスネットワーク要素の間に共通伝送リソースを確立することを、第二のコアネットワーク要素を介して第三のコアネットワーク要素に要求するか、又は、前記第一のコアネットワーク要素は、前記第一のコアネットワーク要素と前記アクセスネットワーク要素の間に共通伝送リソースを確立することを第三のコアネットワーク要素に要求する。
【０１００】
図４のステップ２ａ、ステップ２ｂ、ステップ２ｃとステップ２を参照すると、ＲＡＮとＵＰＦの間に共通接続チャネルがない場合、ステップ２ａで、ＵＰＦはコアネットワークにおけるＳＭＦへ共通接続チャネル確立要求メッセージ（要求メッセージと略称）を送信する。ステップ２ｂで、ＳＭＦはＵＰＦとＲＡＮの間の共通接続チャネルを確立することをＡＭＦに要求する。ＡＭＦは、要求メッセージを受信した後に前記要求メッセージをＲＡＮに送信し、ＲＡＮは共通接続チャネルの確立を確認する応答メッセージを返信する。ＡＭＦは応答メッセージをＳＭＦに伝達し、ＳＭＦは応答メッセージにおける共通接続チャネル情報をＵＰＦに通知する。
【０１０１】
図４のステップ３を参照すると、ＲＡＮがＵＰＦから送信されたグループデータを受信した場合、ＲＡＮは、このグループデータをＲＡＮとＵＥの間のプロトコル層フォーマットに従ってカプセル化する。ＲＡＮとＵＥの間にグループ専用接続チャネル（例えば専用物理リソース、専用物理層識別子、専用論理チャネル、専用ベアラ、専用ＱｏＳフローなど）がある場合、グループデータはグループ専用接続チャネルでＵＥに送信される。ＲＡＮとＵＥの間にグループ専用接続チャネルがない場合、ＲＡＮは、データにグループ識別子情報を含ませてＵＥに送信する。ＵＥはグループ専用接続チャネルに従ってグループデータを識別し、又はグループ識別子情報に従ってグループデータを識別する。
【０１０２】
図５は本発明の実施形態のデータ伝送方法のフローチャート２である。図５に示すように、前記データ伝送方法は以下のステップを含む。
【０１０３】
ステップ５０１において、アクセスネットワーク要素は第一の伝送リソースを介して第一のコアネットワーク要素から送信されたデータを受信し、前記データが第一のデバイスグループに送信されるデータである。
【０１０４】
本発明の実施形態では、第一のコアネットワーク要素はＵＰＦであってもよい。アクセスネットワーク要素はＲＡＮであってもよい。
【０１０５】
本発明の実施形態では、アクセスネットワーク要素と第一のコアネットワーク要素の間の伝送リソースが第一の伝送リソースと呼ばれ、アクセスネットワーク要素と端末の間の伝送リソースが第二の伝送リソースと呼ばれる。
【０１０６】
本発明の実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【０１０７】
ここで、前記第一の伝送リソース及び／又は前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１０８】
本発明の実施形態では、前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【０１０９】
ステップ５０２において、前記アクセスネットワーク要素は、第二の伝送リソースを介して前記データを前記第一のデバイスグループにおける端末に送信し、前記データが前記第一のコアネットワーク要素、前記アクセスネットワーク要素及び前記端末の間のユーザプレーンで伝送される。
【０１１０】
本発明の実施形態では、第二の伝送リソースが前記第一のデバイスグループの専用伝送リソースであるか否かに従って、次のデータ伝送方式が用いられてもよい。
【０１１１】
１）前記アクセスネットワーク要素と前記端末の間に前記第一のデバイスグループの専用伝送リソースがある場合、前記アクセスネットワーク要素は前記専用伝送リソースを介して前記データを前記第一のデバイスグループにおける端末に送信する。
【０１１２】
２）前記アクセスネットワーク要素と前記端末の間に共通伝送リソースがある場合、前記アクセスネットワーク要素は前記共通伝送リソースを介して前記データを前記第一のデバイスグループにおける端末に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。
【０１１３】
図６は本発明の実施形態のデータ伝送方法のフローチャート３である。図６に示すように、前記データ伝送方法は以下のステップを含む。
【０１１４】
ステップ６０１において、端末は、第二の伝送リソースを介してアクセスネットワーク要素から送信されたデータを受信し、前記データが第一のデバイスグループに送信されるデータである。
【０１１５】
ステップ６０２において、前記端末は前記データに対応するデバイスグループが前記第一のデバイスグループであることを識別し、前記データが前記アクセスネットワーク要素及び前記端末の間のユーザプレーンで伝送される。
【０１１６】
本発明の実施形態では、前記端末が前記第一のデバイスグループに属する場合、前記データを処理し、前記端末が前記第一のデバイスグループに属しない場合、前記データを破棄する。
【０１１７】
本発明の実施形態では、前記端末が前記データに対応するデバイスグループが前記第一のデバイスグループであることを識別することは、次の方式によって実現されてもよい。
【０１１８】
方式１において、前記第二の伝送リソースが専用伝送リソースである場合、前記端末は前記第二の伝送リソースのリソース属性によって前記データに対応するデバイスグループが前記第一のデバイスグループであることを識別する。
【０１１９】
ここで、前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１２０】
方式２において、前記第二の伝送リソースが共通伝送リソースである場合、前記端末は前記データに含まれる前記第一のデバイスグループのグループ識別子情報によって前記データに対応するデバイスグループが前記第一のデバイスグループであることを識別するか、又は、前記データに含まれる前記第一のデバイスグループにおける端末の識別子情報及び／又は端末のプロトコルユニット（ＰＤＵ）セッション情報及び／又は端末のサービス品質情報によって前記データに対応するデバイスグループが前記第一のデバイスグループであることを識別する。
【０１２１】
図７は本発明の実施形態によるデータ伝送装置の構造構成図１である。本実施形態のデータ伝送装置は、第一のコアネットワーク要素に応用される。前記装置は、
外部ネットワークから送信されたデータを受信するように構成され、前記データが第一のデバイスグループに送信されるデータである受信ユニット７０１と、
アクセスネットワーク要素が第二の伝送リソースを介して前記データを前記第一のデバイスグループにおける端末に送信できるように、第一の伝送リソースを介して前記データをアクセスネットワーク要素に送信するように構成される送信ユニット７０２と、を備え、
ここで、前記データが前記第一のコアネットワーク要素、前記アクセスネットワーク要素及び前記端末の間のユーザプレーンで伝送される。
【０１２２】
一実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【０１２３】
一実施形態では、前記第一の伝送リソース及び／又は前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１２４】
一実施形態では、前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【０１２５】
一実施形態では、前記装置はさらに、
前記第一のデバイスグループのグループ識別子情報を前記端末に対応するターゲットプロトコル層のＰＤＵにカプセル化するように構成され、前記ＰＤＵに前記データが含まれるカプセル化ユニット７０３を備える。
【０１２６】
一実施形態では、前記装置はさらに、
前記第一のデバイスグループにおける端末の識別子情報及び／又は端末のＰＤＵセッション情報及び／又は端末のサービス品質情報を前記端末に対応するターゲットプロトコル層のＰＤＵにカプセル化するように構成され、前記ＰＤＵに前記データが含まれるカプセル化ユニット７０３を備える。
【０１２７】
一実施形態では、前記ターゲットプロトコル層はＩＰ層、又はＡＳ層である。
【０１２８】
一実施形態では、前記受信ユニット７０１は、第三の伝送リソースを介して外部ネットワークから送信されたデータを受信するように構成され、前記第三の伝送リソースが前記第一のデバイスグループの専用伝送リソースである。
【０１２９】
一実施形態では、前記外部ネットワークから送信されたデータには前記第一のデバイスグループのグループ識別子情報又は前記第一のデバイスグループにおける端末の識別子情報及び／又は端末のＰＤＵセッション情報及び／又は端末のサービス品質情報が含まれる。ここで、前記第一のデバイスグループにおける端末の識別子情報は外部識別子情報、例えばＧＰＳＩである。
【０１３０】
一実施形態では、前記第三の伝送リソースのリソース属性によって前記データに対応するデバイスグループが前記第一のデバイスグループであることを示すか、又は、
前記データに含まれる前記第一のデバイスグループのグループ識別子情報によって前記データに対応するデバイスグループが前記第一のデバイスグループであることを示すか、又は、前記データに含まれる前記第一のデバイスグループにおける端末の識別子情報及び／又は端末のＰＤＵセッション情報及び／又は端末のサービス品質情報によって前記データに対応するデバイスグループが前記第一のデバイスグループであることを示す。
【０１３１】
一実施形態では、前記第一のコアネットワーク要素と前記アクセスネットワーク要素の間に前記第一のデバイスグループの専用伝送リソースがある場合、前記送信ユニット７０２は前記専用伝送リソースを介して前記データをアクセスネットワーク要素に送信する。
【０１３２】
一実施形態では、前記装置はさらに、
前記第一のコアネットワーク要素と前記アクセスネットワーク要素の間に前記第一のデバイスグループの専用伝送リソースがない場合、前記第一のコアネットワーク要素と前記アクセスネットワーク要素の間に前記第一のデバイスグループの専用伝送リソースを確立することを要求するように構成される第一の要求ユニット７０４と、
前記アクセスネットワーク要素と前記第一のデバイスグループの専用伝送リソースを確立するように構成される第一の確立ユニット７０５とを備え、
前記送信ユニット７０２は前記専用伝送リソースを介して前記データをアクセスネットワーク要素に送信するように構成される。
【０１３３】
一実施形態では、前記第一の要求ユニット７０４は、前記第一のコアネットワーク要素と前記アクセスネットワーク要素の間に前記第一のデバイスグループの専用伝送リソースを確立することを、第二のコアネットワーク要素を介して第三のコアネットワーク要素に要求するように構成されるか、又は、前記第一のコアネットワーク要素と前記アクセスネットワーク要素の間に前記第一のデバイスグループの専用伝送リソースを確立することを第三のコアネットワーク要素に要求するように構成される。
【０１３４】
一実施形態では、前記要求ユニットは、前記第一のコアネットワーク要素と前記アクセスネットワーク要素の間に前記第一のデバイスグループの専用伝送リソースを確立することを要求する時に、前記第三のコアネットワーク要素へ前記第一のデバイスグループのグループ情報を送信するように構成され、ここで、第一のデバイスグループのグループ情報がＰＤＵセッション情報、ＱｏＳフロー情報、ＱｏＳ情報、コアネットワークアドレス情報、グループ識別子情報、ＩＰチャネル、ＧＴＰチャネルのうちの少なくとも１つを含む。
【０１３５】
一実施形態では、前記第一のコアネットワーク要素と前記アクセスネットワーク要素の間に共通伝送リソースがある場合、前記送信ユニット７０２は、前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。
【０１３６】
一実施形態では、前記第一のコアネットワーク要素と前記アクセスネットワーク要素の間に前記第一のデバイスグループの専用伝送リソースがなく、且つ共通伝送リソースがある場合、前記送信ユニット７０２は、前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。
【０１３７】
一実施形態では、前記装置はさらに、
前記第一のコアネットワーク要素と前記アクセスネットワーク要素の間に共通伝送リソースがない場合、前記第一のコアネットワーク要素と前記アクセスネットワーク要素の間に共通伝送リソースを確立することを要求するように構成される第二の要求ユニット７０６と、
前記アクセスネットワーク要素と前記共通伝送リソースを確立するように構成される第二の確立ユニット７０７とを備え、
前記送信ユニット７０２は、前記共通伝送リソースを介して前記データをアクセスネットワーク要素に送信するように構成され、前記データに前記第一のデバイスグループのグループ識別子情報又は第一のデバイスグループにおける端末の識別子情報及び／又は端末のＰＤＵセッション情報及び／又は端末のサービス品質情報が含まれる。
【０１３８】
一実施形態では、前記第二の要求ユニット７０６は、前記第一のコアネットワーク要素と前記アクセスネットワーク要素の間に共通伝送リソースを確立することを、第二のコアネットワーク要素を介して第三のコアネットワーク要素に要求するように構成されるか、又は、前記第一のコアネットワーク要素と前記アクセスネットワーク要素の間に共通伝送リソースを確立することを第三のコアネットワーク要素に要求するように構成される。
【０１３９】
当業者は、図７に示すデータ伝送装置における各ユニットの実現機能について前記データ伝送方法の関連説明を参照して理解することができることを理解するべきである。図７に示すデータ伝送装置における各ユニットの機能はプロセッサで実行されるプログラムによって実現されてもよいし、具体的な論理回路によって実現されてもよい。
【０１４０】
図８は本発明の実施形態によるデータ伝送装置の構造構成図２である。本実施形態のデータ伝送装置は、アクセスネットワーク要素に応用される。前記装置は、
第一の伝送リソースを介して第一のコアネットワーク要素から送信されたデータを受信するように構成され、前記データが第一のデバイスグループに送信されるデータである受信ユニット８０１と、
第二の伝送リソースを介して前記データを前記第一のデバイスグループにおける端末に送信するように構成される送信ユニット８０２と、を備え、
ここで、前記データが前記第一のコアネットワーク要素、前記アクセスネットワーク要素及び前記端末の間のユーザプレーンで伝送される。
【０１４１】
一実施形態では、前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示す。
【０１４２】
ここで、前記第一の伝送リソース及び／又は前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１４３】
一実施形態では、前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示す。
【０１４４】
一実施形態では、前記アクセスネットワーク要素と前記端末の間に前記第一のデバイスグループの専用伝送リソースがある場合、前記送信ユニット８０２は、前記専用伝送リソースを介して前記データを前記第一のデバイスグループにおける端末に送信する。
【０１４５】
一実施形態では、前記アクセスネットワーク要素と前記端末の間に共通伝送リソースがある場合、前記送信ユニット８０２は、前記共通伝送リソースを介して前記データを前記第一のデバイスグループにおける端末に送信し、前記データに前記第一のデバイスグループのグループ識別子情報又は第一のデバイスグループにおける端末の識別子情報及び／又は端末のＰＤＵセッション情報及び／又は端末のサービス品質情報が含まれる。
【０１４６】
当業者は、図８に示すデータ伝送装置における各ユニットの実現機能について前記データ伝送方法の関連説明を参照して理解することができることを理解するべきである。図８に示すデータ伝送装置における各ユニットの機能はプロセッサで実行されるプログラムによって実現されてもよいし、具体的な論理回路によって実現されてもよい。
【０１４７】
図９は本発明の実施形態によるデータ伝送装置の構造構成図３である。本実施形態のデータ伝送装置は、端末に応用される。前記装置は、
第二の伝送リソースを介してアクセスネットワーク要素から送信されたデータを受信するように構成され、前記データが第一のデバイスグループに送信されるデータである受信ユニット９０１と、
前記データに対応するデバイスグループが前記第一のデバイスグループであることを識別するように構成される識別ユニット９０２と、を備え、
ここで、前記データが前記アクセスネットワーク要素及び前記端末の間のユーザプレーンで伝送される。
【０１４８】
一実施形態では、前記第二の伝送リソースが専用伝送リソースである場合、前記識別ユニット９０２は、前記第二の伝送リソースのリソース属性によって前記データに対応するデバイスグループが前記第一のデバイスグループであることを識別する。
【０１４９】
ここで、前記第二の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１５０】
一実施形態では、前記第二の伝送リソースが共通伝送リソースである場合、前記識別ユニット９０２は、前記データに含まれる前記第一のデバイスグループのグループ識別子情報によって前記データに対応するデバイスグループが前記第一のデバイスグループであることを識別するか、又は、前記データに含まれる前記第一のデバイスグループにおける端末の識別子情報及び／又は端末のプロトコルユニット（ＰＤＵ）セッション情報及び／又は端末のサービス品質情報によって前記データに対応するデバイスグループが前記第一のデバイスグループであることを識別する。
【０１５１】
当業者は、図９に示すデータ伝送装置における各ユニットの実現機能について前記データ伝送方法の関連説明を参照して理解することができることを理解するべきである。図９に示すデータ伝送装置における各ユニットの機能はプロセッサで実行されるプログラムによって実現されてもよいし、具体的な論理回路によって実現されてもよい。
【０１５２】
本発明の実施形態における上記データ伝送装置は、ソフトウェア機能モジュールの形態で実現され且つ独立した製品として販売又は使用される時に、一つのコンピュータ読み取り可能記憶媒体に記憶されてもよい。このような理解に基づき、本発明の実施形態における技術的解決策は本質的に又は従来技術に寄与する部分がソフトウェア製品の形で具現化されてもよく、前記コンピュータソフトウェア製品がコンピュータ機器（パーソナルコンピュータ、サーバ、又はネットワークデバイス等であってもよい）に本発明の様々な実施形態に記載される方法の全て又は一部のステップを実行させるためのいくつかのコマンドを含む、記憶媒体に記憶される。前記憶媒体はＵＳＢフラッシュディスク、モバイルハードディスク、読み取り専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このようにして、本発明の実施形態は、いかなる特定のハードウェアとソフトウェアの組み合わせに限定されない。
【０１５３】
それに対応して、本発明の実施形態によるコンピュータ記憶媒体は、コンピュータ実行可能コマンドを記憶し、前記コンピュータ実行可能コマンドがプロセッサに実行される時に本発明の実施形態の上記データ伝送方法を実現する。
【０１５４】
図１０は本発明の実施形態のコンピュータデバイスの構造構成図である。前記コンピュータデバイスは端末であってもよいし、ネットワーク装置であってもよい。図１０に示すように、コンピュータデバイス１００は一つ又は複数（図で一つだけ示される）のプロセッサ１００２（プロセッサ１００２がマイクロコントローラーユニット（ＭＣＵ：Ｍｉｃｒｏ  Ｃｏｎｔｒｏｌｌｅｒ  Ｕｎｉｔ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などの処理装置を含むことができるがこれらに限定されない）、データを記憶するためのメモリ１００４、及び通信機能のための伝送装置１００６を含むことができる。当業者は、図１０に示す構造が例示的だけであり、上記電子装置の構造を限定するためのものではないことを理解することができる。例えば、コンピュータデバイス１００はさらに図１０に示すものよりも多く又は少ないコンポーネントを備えることができ、又は図１０に示すものとは異なる構成を有することができる。
【０１５５】
メモリ１００４は、アプリケーションコンソフトウェアのソフトウェアプログラム及びモジュール、例えば本発明の実施形態における方法に対応するプログラムコマンド／モジュールを記憶することに用いられてもよく、プロセッサ１００２はメモリ１００４に記憶されたソフトウェアプログラム及びモジュールを実行することにより、様々な機能アプリケーション及びデータ処理を実行し、即ち上記方法を実現する。メモリ１００４は高速ランダムアクセスメモリを含むことができ、さらに不揮発性メモリ、例えば一つ又は複数の磁気ディスク記憶装置、フラッシュ装置又は他の不揮発性固体メモリデバイスを含むこともできる。いくつかの実施形態では、メモリ１００４はさらにプロセッサ１００２に対して遠隔に設置されたメモリをさらに含むことができ、これらの遠隔メモリがネットワークを介してコンピュータデバイス１００に接続されてもよい。上記ネットワークの実施形態はインターネット、イントラネット、ローカルエリアネットワーク、移動通信ネットワーク及びそれらの組み合わせを含むがこれらに限定されない。
【０１５６】
伝送装置１００６は、一つのネットワークを介してデータを受信又は送信することに用いられる。上述したネットワークの具体的な実施形態はコンピュータデバイス１００の通信プロバイダーによって提供される無線ネットワークを含むことができる。一つの実施形態では、伝送装置１００６はインターネットと通信するように基地局を介して他のネットワーク装置に接続することができるネットワークアダプタ（ＮＩＣ：Ｎｅｔｗｏｒｋ  Ｉｎｔｅｒｆａｃｅ  Ｃｏｎｔｒｏｌｌｅｒ）を含む。一つの実施形態では、伝送装置１００６はインターネットと無線で通信するための無線周波数（ＲＦ：Ｒａｄｉｏ  Ｆｒｅｑｕｅｎｃｙ）モジュールであってもよい。
【０１５７】
本発明の実施形態で記載される技術的解決策は、衝突することなく任意に組み合わせられてもよい。
【０１５８】
本発明が提供するいくつかの実施形態では、開示される方法及びスマートデバイスは、他の方式により実現されてもよいと理解すべきである。上述した装置の実施形態は例示的なものだけであり、例えば、前記ユニットの区分は、論理機能的区分だけであり、実際に実施する時に他の区分モードもあり得て、例えば複数のユニット又は構成要素は組み合わせられてもよく又は別のシステムに統合されてもよく、又はいくつかの特徴が無視されてもよく、又は実行されなくてもよい。また、示される又は議論される各コンポーネントの間の相互結合、又は直接結合、又は通信接続はいくつかのインターフェース、装置又はユニットを介する間接的結合又は通信接続であってもよいし、電気的、機械的又は他の形態であってもよい。
【０１５９】
分離部材として説明された前記ユニットは、物理的に分離するものであってもよく又は物理的に分離するものでなくてもよく、ユニットとして表示された部材は物理的ユニットであってもよく又は物理的ユニットでなくてもよく、即ち一つの箇所に位置してもよいし、複数のネットワークユニットに分布してもよく、実際のニーズに応じてその中の一部又は全部のユニットを選択して本実施形態の解決策の目的を達成することができる。
【０１６０】
また、本発明の各実施形態における各機能ユニットは全て一つの処理ユニットに統合されてもよいし、個々のユニットは個別に一つのユニットとして機能してもよく、二つ又は二つ以上のユニットは一つのユニットに統合されてもよく、上記の統合されたユニットは、ハードウェアの形で実現されてもよいし、ハードウェアとソフトウェア機能の組み合わせの形で実現されてもよい。
【０１６１】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記特許請求の範囲によって準拠するべきである。
【図１】
2021510269.tif 000003
【図２】
2021510269.tif 000004
【図３】
2021510269.tif 000005
【図４】
2021510269.tif 000006
【図５】
2021510269.tif 000007
【図６】
2021510269.tif 000008
【図７】
2021510269.tif 000009
【図８】
2021510269.tif 000010
【図９】
2021510269.tif 000011
【図１０】
2021510269.tif 000012
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
データ伝送方法であって、
第一のコアネットワーク要素が外部ネットワークから送信されたデータを受信することであって、前記データが第一のデバイスグループに送信されるデータであることと、
アクセスネットワーク要素が第二の伝送リソースを介して前記データを前記第一のデバイスグループにおける端末に送信できるように、前記第一のコアネットワーク要素が第一の伝送リソースを介して前記データをアクセスネットワーク要素に送信することと、を含み、
ここで、前記データが前記第一のコアネットワーク要素、前記アクセスネットワーク要素及び前記端末の間のユーザプレーンで伝送される、前記データ伝送方法。
【請求項２】
前記第一の伝送リソース及び／又は前記第二の伝送リソースが前記第一のデバイスグループの専用伝送リソースである場合、前記第一の伝送リソース及び／又は前記第二の伝送リソースのリソース属性によって前記データに対応するデバイスグループが前記第一のデバイスグループであることを示すことを特徴とする
請求項１に記載の方法。
【請求項３】
前記第一の伝送リソース及び／又は前記第二の伝送リソースが共通伝送リソースである場合、前記データを伝送する時に前記第一のデバイスグループのグループ識別子情報を搬送することで、前記データに対応するデバイスグループが前記第一のデバイスグループであることを示すか、又は、前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことを特徴とする
請求項１に記載の方法。
【請求項４】
前記データを伝送する時に前記第一のデバイスグループのグループ識別子情報を搬送することで、前記データに対応するデバイスグループが前記第一のデバイスグループであることを示すことは、
前記第一のコアネットワーク要素が前記第一のデバイスグループのグループ識別子情報を前記端末に対応するターゲットプロトコル層のＰＤＵにカプセル化し、前記ＰＤＵに前記データが含まれることを含み、
又は、
前記データを伝送する時に前記第一のデバイスグループにおける端末の識別子情報及び／又は端末のプロトコルデータユニット（ＰＤＵ）セッション情報及び／又は端末のサービス品質情報を搬送することで、前記データに対応するデバイスグループが前記第一のデバイスグループであることを示すことは、
前記第一のコアネットワーク要素が前記第一のデバイスグループにおける端末の識別子情報及び／又は端末のＰＤＵセッション情報及び／又は端末のサービス品質情報を前記端末に対応するターゲットプロトコル層のＰＤＵにカプセル化し、前記ＰＤＵに前記データが含まれることを含むことを特徴とする
請求項３に記載の方法。
【請求項５】
前記第一のコアネットワーク要素が第一の伝送リソースを介して前記データをアクセスネットワーク要素に送信することは、
前記第一のコアネットワーク要素と前記アクセスネットワーク要素の間に共通伝送リソースがある場合、前記第一のコアネットワーク要素が前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることを含み、
前記方法はさらに、
前記第一のコアネットワーク要素と前記アクセスネットワーク要素の間に前記第一のデバイスグループの専用伝送リソースがなく、且つ共通伝送リソースがある場合、前記第一のコアネットワーク要素は、前記共通伝送リソースを介して前記データをアクセスネットワーク要素に送信することを特徴とする
請求項１〜４のいずれか一項に記載の方法。
【請求項６】
前記第一のコアネットワーク要素が第一の伝送リソースを介して前記データをアクセスネットワーク要素に送信することは、
前記第一のコアネットワーク要素と前記アクセスネットワーク要素の間に共通伝送リソースがない場合、前記第一のコアネットワーク要素が前記第一のコアネットワーク要素と前記アクセスネットワーク要素の間に共通伝送リソースを確立することを要求することと、
前記第一のコアネットワーク要素が前記共通伝送リソースを介して前記データをアクセスネットワーク要素に送信し、前記データに前記第一のデバイスグループのグループ識別子情報又は第一のデバイスグループにおける端末の識別子情報及び／又は端末のＰＤＵセッション情報及び／又は端末のサービス品質情報が含まれることと、を含み、
前記第一のコアネットワーク要素が前記第一のコアネットワーク要素と前記アクセスネットワーク要素の間に共通伝送リソースを確立することを要求することは、
前記第一のコアネットワーク要素が前記第一のコアネットワーク要素と前記アクセスネットワーク要素の間に共通伝送リソースを確立することを、第二のコアネットワーク要素を介して第三のコアネットワーク要素に要求すること、又は、
前記第一のコアネットワーク要素が前記第一のコアネットワーク要素と前記アクセスネットワーク要素の間に共通伝送リソースを確立することを、第三のコアネットワーク要素に要求することを含むことを特徴とする
請求項１〜４のいずれか一項に記載の方法。
【請求項７】
データ伝送方法であって、
端末が第二の伝送リソースを介してアクセスネットワーク要素から送信されたデータを受信することであって、前記データが第一のデバイスグループに送信されるデータであることと、
前記端末が前記データに対応するデバイスグループが前記第一のデバイスグループであることを識別することと、を含み、
ここで、前記データが前記アクセスネットワーク要素及び前記端末の間のユーザプレーンで伝送される、前記データ伝送方法。
【請求項８】
前記端末が前記データに対応するデバイスグループが前記第一のデバイスグループであることを識別することは、
前記第二の伝送リソースが専用伝送リソースである場合、前記端末が前記第二の伝送リソースのリソース属性によって前記データに対応するデバイスグループが前記第一のデバイスグループであることを識別することを含むことを特徴とする
請求項７に記載の方法。
【請求項９】
前記第二の伝送リソースは物理層識別子、論理チャネル、ベアラ、サービス品質（ＱｏＳ）フロー、プロトコルデータユニット（ＰＤＵ）セッション、インターネットプロトコル（ＩＰ）チャネル、汎用パケット無線サービス（ＧＰＲＳ）トンネリングプロトコル（ＧＴＰ）チャネルのうちの少なくとも１つのリソース属性を有することを特徴とする
請求項８に記載の方法。
【請求項１０】
第一のコアネットワーク要素に応用されるデータ伝送装置であって、
外部ネットワークから送信されたデータを受信するように構成される受信ユニットであって、前記データが第一のデバイスグループに送信されるデータである受信ユニットと、
アクセスネットワーク装置が第二の伝送リソースを介して前記データを前記第一のデバイスグループにおける端末に送信できるように、第一の伝送リソースを介して前記データをアクセスネットワーク要素に送信するように構成される送信ユニットと、を備え、
ここで、前記データが前記第一のコアネットワーク要素、前記アクセスネットワーク要素及び前記端末の間のユーザプレーンで伝送される、前記データ伝送装置。
【請求項１１】
前記受信ユニットは、第三の伝送リソースを介して外部ネットワークから送信されたデータを受信するように構成され、前記第三の伝送リソースが前記第一のデバイスグループの専用伝送リソースであることを特徴とする
請求項１０に記載の装置。
【請求項１２】
前記第一のコアネットワーク要素と前記アクセスネットワーク要素の間に前記第一のデバイスグループの専用伝送リソースがある場合、前記送信ユニットは前記専用伝送リソースを介して前記データをアクセスネットワーク要素に送信することを特徴とする
請求項１０又は１１に記載の装置。
【請求項１３】
前記装置はさらに、
前記第一のコアネットワーク要素と前記アクセスネットワーク要素の間に前記第一のデバイスグループの専用伝送リソースがない場合、前記第一のコアネットワーク要素と前記アクセスネットワーク要素の間に前記第一のデバイスグループの専用伝送リソースを確立することを要求するように構成される第一の要求ユニットと、
前記アクセスネットワーク要素と前記第一のデバイスグループの専用伝送リソースを確立するように構成される第一の確立ユニットと、を備え、
前記送信ユニットは前記専用伝送リソースを介して前記データをアクセスネットワーク要素に送信するようにさらに構成され、
前記第一の要求ユニットは、前記第一のコアネットワーク要素と前記アクセスネットワーク要素の間に前記第一のデバイスグループの専用伝送リソースを確立することを、第二のコアネットワーク要素を介して第三のコアネットワーク要素に要求するように構成されるか、又は、前記第一のコアネットワーク要素と前記アクセスネットワーク要素の間に前記第一のデバイスグループの専用伝送リソースを確立することを第三のコアネットワーク要素に要求するように構成され、
前記要求ユニットは、前記第一のコアネットワーク要素と前記アクセスネットワーク要素の間に前記第一のデバイスグループの専用伝送リソースを確立することを要求する時に、前記第三のコアネットワーク要素へ前記第一のデバイスグループのグループ情報を送信するように構成され、
第一のデバイスグループのグループ情報はプロトコルデータユニット（ＰＤＵ）セッション情報、サービス品質（ＱｏＳ）フロー情報、ＱｏＳ情報、コアネットワークアドレス情報、グループ識別子情報、インターネットプロトコル（ＩＰ）チャネル、汎用パケット無線サービス（ＧＰＲＳ）トンネリングプロトコル（ＧＴＰ）チャネルのうちの少なくとも１つを含むことを特徴とする
請求項１０〜１２のいずれか一項に記載の装置。
【請求項１４】
端末に応用されるデータ伝送装置であって、
第二の伝送リソースを介してアクセスネットワーク要素から送信されたデータを受信するように構成される受信ユニットであって、前記データが第一のデバイスグループに送信されるデータである受信ユニットと、
前記データに対応するデバイスグループが前記第一のデバイスグループであることを識別するように構成される識別ユニットと、を備え、
ここで、前記データが前記アクセスネットワーク要素及び前記端末の間のユーザプレーンで伝送される、前記データ伝送装置。
【請求項１５】
前記第二の伝送リソースが共通伝送リソースである場合、前記識別ユニットは、前記データに含まれる前記第一のデバイスグループのグループ識別子情報によって前記データに対応するデバイスグループが前記第一のデバイスグループであることを識別するか、又は、前記データに含まれる前記第一のデバイスグループにおける端末の識別子情報及び／又は端末のプロトコルユニット（ＰＤＵ）セッション情報及び／又は端末のサービス品質情報によって前記データに対応するデバイスグループが前記第一のデバイスグループであることを識別することを特徴とする
請求項１４に記載の装置。
【国際調査報告】
2021510269.tif 000013
2021510269.tif 000014
2021510269.tif 000015
2021510269.tif 000016